(57)【要約】【課題】踏み板の階段支持材に対向する外側面に突条を設けることにより、踏み板と階段支持材との間で間隙を形成でき、仮設階段を積み重ねる際に階段支持材の間へ踏み板を嵌め込みやすくできる。【解決手段】略矩形状の板材１０と、この板材１０の両端に取り付けられる端部材１１とを有し、複数本のボルト１２で階段支持材９に締結されており、端部材１１の階段支持材９に対向する外側面に、階段支持材９との間で間隙ｄを形成する突条１３をボルト孔１４の上下それぞれに少なくとも１条設けている。【選択図】図１
2010189994.tif 000002
【特許請求の範囲】
【請求項１】
略矩形状の板材（１０）と、この板材（１０）の両端に取り付けられる端部材（１１）とを有し、複数本のボルト（１２）で階段支持材（９）に締結される仮設階段用踏み板であって、
前記端部材（１１）の階段支持材（９）に対向する外側面に、前記階段支持材（９）との間で間隙（ｄ）を形成する突条（１３）をボルト孔（１４）の上下それぞれに少なくとも１条設けていることを特徴とする仮設階段用踏み板。
【請求項２】
前記突条（１３）を前記階段支持材（９）により隠れる範囲に形成していることを特徴とする請求項１に記載の仮設階段用踏み板。
【請求項３】
前記端部材（１１）は、前記板材（１０）の端面に対向する対面部（１５）と、この対面部（１５）の幅方向両端から前記板材（１０）側へ突出して前記板材（１０）の端部に嵌合するフランジ（１６）とを有し、前記対面部（１５）の階段支持材（９）に対向する外側面に全長にわたって長尺突起（１７）を形成した後に、この長尺突起（１７）の両端を削除して前記階段支持材（９）と当接する前記突条（１３）を形成していることを特徴とする請求項１又は２に記載の仮設階段用踏み板。
【請求項４】
複数の踏み板（２）と、これらの踏み板（２）を両側から支持する左右１対の階段支持材（９）と、この各階段支持材（９）の長手方向端部に取り付けられるつかみ金具（５）とを有し、前記踏み板（２）の端面には前記階段支持材（９）に複数本のボルト（１２）で締結するボルト孔（１４）を形成している仮設階段であって、
前記踏み板（２）の階段支持材（９）に対向する外側面に、前記階段支持材（９）との間で間隙（ｄ）を形成する突条（１３）を前記ボルト孔（１４）の上下それぞれに少なくとも１条設けていることを特徴とする仮設階段。
【発明の詳細な説明】
【技術分野】
【０００１】
本発明は、建設現場の枠組足場等に使用される仮設階段用踏み板及びこれを用いた仮設階段に関するものである。
【背景技術】
【０００２】
従来、左右一対の側枠間に踏み板を一定間隔で設け、各側枠の上端部及び下端部には端部キャップを被着すると共に掛止用フックを取り付けてなる枠組足場用階段が知られている。
この枠組足場用階段は、傾斜状に配置される左右の側枠に、踏み板を、各踏み板の左右両端面が両側枠の内側面に当接し且つ各踏み板の前後側端部が側枠から前後方向に突出するように夫々水平姿勢で取り付けられている（特許文献１参照）。
【先行技術文献】
【特許文献】
【０００３】
【特許文献１】特開２００６−２４１６７４号公報
【発明の概要】
【発明が解決しようとする課題】
【０００４】
上記従来の枠組足場用階段は、踏み板の端面が側枠の内側面に直接取り付けられているために、積み重ねようとしても側枠から突出する踏み板が上下段の側枠間に嵌りにくい。
本発明は、このような点に鑑みて、階段支持材に対向する外側面に突条を設けることにより、階段支持材との間で間隙を形成できる仮設階段用踏み板を提供することを目的とする。
また、本発明は、このような点に鑑みて、踏み板の階段支持材に対向する外側面に階段支持材との間で間隙を形成する突条を設けることにより、積み重ねる際に階段支持材の間に踏み板を嵌め込みやすい仮設階段を提供することを目的とする。
【課題を解決するための手段】
【０００５】
前記目的を達成するために、本発明は、以下の技術的手段を採用した。
第１に、略矩形状の板材１０と、この板材１０の両端に取り付けられる端部材１１とを有し、複数本のボルト１２で階段支持材９に締結される仮設階段用踏み板であって、前記端部材１１の階段支持材９に対向する外側面に、前記階段支持材９との間で間隙ｄを形成する突条１３をボルト孔１４の上下それぞれに少なくとも１条設けていることを特徴とする。
第２に、前記突条１３を前記階段支持材９により隠れる範囲に形成していることを特徴とする。
【０００６】
第３に、前記端部材１１は、前記板材１０の端面に対向する対面部１５と、この対面部１５の幅方向両端から前記板材１０側へ突出して前記板材１０の端部に嵌合するフランジ１６とを有し、前記対面部１５の階段支持材９に対向する外側面に全長にわたって長尺突起１７を形成した後に、この長尺突起１７の両端を削除して前記階段支持材９と当接する前記突条１３を形成していることを特徴とする。
第４に、複数の踏み板２と、これらの踏み板２を両側から支持する左右１対の階段支持材９と、この各階段支持材９の長手方向端部に取り付けられるつかみ金具５とを有し、前記踏み板２の端面には前記階段支持材９に複数本のボルト１２で締結するボルト孔１４を形成している仮設階段であって、前記踏み板２の階段支持材９に対向する外側面に、前記階段支持材９との間で間隙ｄを形成する突条１３を前記ボルト孔１４の上下それぞれに少なくとも１条設けていることを特徴とする。
【０００７】
これにより、端部材１１の階段支持材９に対向する外側面に突条１３をボルト孔１４の上下それぞれに少なくとも１条設けているため、階段支持材９との間で間隙ｄを形成することができる。
また、突条１３を階段支持材９により隠れる範囲に形成していることにより、複数の仮設階段１を積み重ねた時に、ひとつの仮設階段１の踏み板２は他の仮設階段１の階段支持材９との間でも間隙ｄを形成することができる。
さらに、端部材１１の対面部１５の階段支持材９に対向する外側面に全長にわたって長尺突起１７を形成した後に、この長尺突起１７の両端を削除して突条１３を形成していることで、突条１３を端部材１１の押し出し成形で成形できる。
【０００８】
また、仮設階段１に、階段支持材９に対向する外側面に階段支持材９との間で間隙ｄを形成する突条１３を踏み板２を用いることで、積み重ねる時に階段支持材９間に踏み板２を嵌め込みやすい仮設階段１を提供できる。
【発明の効果】
【０００９】
本発明に係る仮設階段用踏み板によると、階段支持材に対向する外側面に突条を設けることにより、階段支持材との間で間隙を形成できる。
また、本発明に係る仮設階段によると、踏み板の階段支持材に対向する外側面に階段支持材との間で間隙を形成する突条を設けることにより、積み重ねる際に階段支持材の間へ踏み板を嵌め込みやすくできる。
【図面の簡単な説明】
【００１０】
【図１】本発明に係る仮設階段用踏み板及び仮設階段の要部斜視図。
【図２】積み重ねた仮設階段の側面図。
【図３】図２におけるＸ−Ｘ線矢示図。
【図４】図２におけるＹ−Ｙ線矢示図。
【図５】板材の側面図。
【図６】端部材の側面図。
【図７】図６におけるＺ−Ｚ線矢示図。
【図８】階段支持材の斜視図。
【図９】階段支持材の側面図。
【図１０】階段支持材の平面図。
【図１１】仮設階段の全体斜視図。
【発明を実施するための形態】
【００１１】
以下、本発明の実施の形態を図面を参照して説明する。
図１〜１１には、本発明の実施形態に係る仮設階段用の踏み板２及びこれを用いた仮設階段１が示されている。
この仮設階段１は、タワー式に組み上げた枠組足場などに設置する仮設階段であって、複数の踏み板２と、これらの踏み板２を両側から支持する細長い階段支持材９と、この各階段支持材９の両端に複数本（本実施形態では２本）のボルト６で取り付けられるつかみ金具５とを有している。また、この仮設階段１は、運搬時等において同一構造の仮設階段１同士を積み重ねる。
【００１２】
図１〜７、１１に示されたように、各踏み板２は、階段支持材９間にその長手方向に沿って所定間隔に複数本（本実施形態では２本）のボルト１２で締結されており、仮設階段１を設置した際に水平となるように階段支持材９の長手方向に対して斜めに取り付けられている。
各踏み板２は、略矩形状の板材１０と、この板材１０の両端に取り付けられる端部材１１とを有している。
板材１０は、押し出し成形されたアルミ合金製であって、平面視で略矩形状の上板部１０ａと、この上板部１０ａの幅方向両端に取り付けられる側部１０ｂと、上板部１０ａの下面に取り付けられているボルト挿入部１０ｃとを有している。なお、板材１０成形時の押し出し方向を板材１０の長手方向とする。
【００１３】
板材１０の上板部１０ａは、板状体であって、上面には幅方向一定の間隔で長手方向に延びる滑り止め突起が施されている。
板材１０の側部１０ｂは、上板部１０ａの幅方向両端部と一体形成された断面略四角形状の部材であって、上板部１０ａの幅方向両端部の下面から所定長さだけ下方突出し且つ上板部１０ａの長手方向に沿って設けられている。
板材１０のボルト挿入部１０ｃは、上板部１０ａの幅方向中途部の下面から下方に延設しその先が断面略Ｃ字状の部材であって、上板部１０ａの長手方向に沿って上板部１０ａと一体形成されている。ボルト挿入部１０ｃは、上板部１０ａの幅方向中央付近に一定の間隔を置いて２つ設けられ、これら各ボルト挿入部１０ｃの両端面は階段支持材９と対向している。したがって、各ボルト挿入部１０ｃは、その内部に階段支持材９側から挿通される前述のボルト１２を挿入することができる。
【００１４】
ボルト挿入部１０ｃの長手方向各端から所定距離（後述する端部材１１のフランジ１６の略突出長さ）離れた位置には、所定幅切り欠かれて形成された切欠部１０ｄが設けられ、この切欠部１０ｄにナット１０ｅを嵌め込むことができる。このナット１０ｅとボルト１２とが締結することで、板材１０は、端部材１１を介在して階段支持材９に取り付けられる。
端部材１１は、押し出し成形されたアルミ合金製であって、板材１０の両端面に対向する対面部１５と、この対面部１５の上下端縁から板材１０側へ突出しているフランジ１６とを有して断面略コ字状に形成されている。端部材１１は、階段支持材９と板材１０との間に挟まれて配置される。なお、端部材１１成形時の押し出し方向を端部材１１の長手方向とする。
【００１５】
端部材１１の対面部１５は、側面視で細長い略矩形状であって、板材１０の端面に当接し、押し出し成形による毳などを覆い隠している。対面部１５の長手方向中途部には、ボルト１２を挿通させるボルト孔１４が長手方向に沿って２箇所形成されている。
図１〜４、６、７、１１に示すように、端部材１１の対面部１５における階段支持材９に対向する外側面には、ボルト孔１４の上下に突条１３が１条ずつ設けられている。
各突条１３は、対面部１５の階段支持材９側の面から突出し、且つ対面部１５の長手方向に沿って真っ直ぐ形成されている。したがって、端部材１１を介して板材１０を階段支持材９に取り付けると、踏み板２の外側面（階段支持材９側の面）と階段支持材９の内側面（踏み板２側の面）との間で間隙ｄを形成することができる。
【００１６】
また、上下の各突条１３は、まず押し出し成形時に対面部１５の長手方向の全長にわたって長尺突起１７として形成される。そして、上下の各突条１３が対面部１５の長手方向に対して斜めに配置される階段支持材９にそれぞれが広範囲で当接するように、長尺突起１７の両端で且つ階段支持材９により隠れる範囲外のみを、削り取る等によって削除される。この結果、各突条１３は、階段支持材９と当接する範囲（つまり、階段支持材９により隠れる範囲）のみに形成されるように、対面部１５の長手方向に沿ってずらして配置されている。
【００１７】
したがって、複数の仮設階段１を積み重ねた時に、ひとつの仮設階段１における踏み板２の外側面は他の仮設階段１における階段支持材９の内側面から間隙ｄだけ離れており、踏み板２の長手方向の寸法は左右の階段支持材９間の距離よりも小さくなり、仮設階段１を積み重ねる際に左右階段支持材９内へ踏み板２を嵌め込みやすくなる。
なお、各突条１３の両端面は、突条１３の長手方向と直角に削り取っているが、階段支持材９により隠れるのであれば、階段支持材９に対応するように突条１３の長手方向に対して斜めに削り取ってもよい。
【００１８】
端部材１１のフランジ１６は、平面視で細長い略矩形状であって、板材１０の各端部を上下から挟み込んで嵌合するように、端部材１１の対面部１５の上下端（幅方向両端）から板材１０側へそれぞれ突出している。フランジ１６の突出長さは、ボルト挿入部１０ｃにおける長手方向各端から各切欠部１０ｄまでの距離と略同一又はやや短い。したがって、板材１０に端部材１１を嵌め込んだ後でも、支障なくボルト挿入部１０ｃの切欠部１０ｄにナット１０ｅを嵌め込むことができる。
階段支持材９は、適宜長さで左右１対の支柱状体を適宜間隔で平行に配設したものであって、押し出し成形されたアルミ合金製である。
【００１９】
図８〜１０に示されたように、階段支持材９は、断面略コ字状のチャンネル材であって、踏み板２を取り付ける中央壁３と、この中央壁３の幅方向両端から踏み板２とは反対側へ延設するフランジ４とを有している。なお、階段支持材９成形時の押し出し方向を階段支持材９の長手方向とする。
階段支持材９の中央壁３は、細長い板状体であって、その幅方向略中央には長手方向に延びる凹溝８が形成されている。また、中央壁３の長手方向両端部で且つ凹溝８の後述する底部８ｂには、つかみ金具５を締結するボルト６を挿通させるボルト孔７が形成されている。
【００２０】
凹溝８は、中央壁３の幅方向略中央から階段支持材９側へ断面略コ字状突出部分を形成することにより、その踏み板２側の面に形成されるものであり、中央壁３の長手方向の全長にわたって形成されている。つまり、凹溝８は、中央壁３の幅方向中央から幅方向に所定距離ずつ離れた位置から踏み板２とは反対側へそれぞれ延設する側壁８ａと、これら側壁８ａの延設した先端をつなぐように中央壁３の幅方向にわたって中央壁３と略平行に形成された底部８ｂを有している。この底部８ｂであって中央壁３の各端部には、中央壁３の長手方向に沿ってボルト孔７が２箇所に設けられている。
【００２１】
凹溝８の溝幅は、つかみ金具５を取り付けるボルト６のボルト頭６ａの２面幅、つまり、ボルト６のボルト頭６ａの対向する２面と略同一の幅を有しており、凹溝８の深さ（中央壁３から底部８ｂまでの距離）は、ボルト頭６ａの厚みと略同一又はより深くなっている。
したがって、ボルト６を踏み板２側からボルト孔７に挿通すると、凹溝８にボルト頭６ａ全体が陥没しうると共に、ボルト６のボルト頭６ａの対向する２面と凹溝８の側壁８ａとが当接してボルト６の回り止めをすることができる。
【００２２】
階段支持材９の中央壁３には、踏み板２を取り付ける際にボルト１２を挿通するための挿通孔１８が設けられている。
挿通孔１８は１つの踏み板２に対して２つずつ形成されている。つまり、踏み板２は、階段支持材９の断面略コ字状内方側から挿通する２本のボルト１２で締結されている。また、各挿通孔１８は、凹溝８を挟んだ中央壁３にそれぞれ１つずつ配置され、階段支持材９の長手方向に対して斜めに取り付けられる踏み板２を締結しうるように中央壁３の長手方向に沿ってずれた位置に設けられている。
【００２３】
階段支持材９のフランジ４は、細長い板状体であって、中央壁３の幅方向両端から踏み板２とは反対側へ延設している。フランジ４の表面、つまり、階段支持材９における断面略コ字状外方側の面には、フランジ４の幅方向略中央に長手方向に沿った細い溝４ａが刻まれている。また、フランジ４の幅方向における踏み板２とは反対側の端部４ｂは、フランジ４の裏面側、つまり、階段支持材９における断面略コ字状内方側へ若干突出している。したがって、これらの溝４ａと端部４ｂとは、階段支持材９を手で握った際の滑り止めとなる。
【００２４】
図１〜３、１１に示すように、つかみ金具５は、枠組足場のパイプ状の横架材Ｗに仮設階段１を掛け止めるためのものであり、各階段支持材９の両端にそれぞれ取り付けられている。それぞれのつかみ金具５は、フック部材５ａと、ロック部材５ｂとを有している。
つかみ金具５のフック部材５ａは、略円弧状で鉤状の部材であって、枠組足場の横架材Ｗに係止して階段支持材９を傾斜状に設置できる。また、各階段支持材９の両端に取り付けられたフック部材５ａのすべてが同一の方向に開口している。
つかみ金具５のロック部材５ｂは、フック部材５ａの開口部分の基部側に略円弧状のフック部材５ａの周方向に沿って摺動可能に取り付けられている。
【００２５】
なお、図３に示すように、いずれのつかみ金具５においても、ロック部材５ｂはフック部材５ａの同一側方（左方）側に取り付けられており、複数の仮設階段１を積み重ねた際に、上下で隣接する仮設階段１の各つかみ金具５が側面視（階段支持材９のフランジ４の延設方向）において重なっていても、フック部材５ａとロック部材５ｂとが当接することはない。
図２に示したように、前述した仮設階段１は、複数の踏み板２を階段支持材９の長手方向において一定の距離Ａごとの間隔をあけて設けている。
【００２６】
また、最上段の踏み板２から階段支持材９上端のつかみ金具５におけるフック部材５ａの円弧中心までの距離Ｂと、最下段の踏み板２から階段支持材９下端のつかみ金具５におけるフック部材５ａの円弧中心までの距離Ｃとの和は、前述の距離Ａと略同一である。
したがって、ある仮設階段１上端のつかみ金具５を係止する横架材Ｗに対し１段上の仮設階段１下端のつかみ金具５を係止する場合には、ある仮設階段１の最上段の踏み板２から１段上の仮設階段１の最下段の踏み板２までの距離が距離Ａと略同一となり、枠組足場の各階を行き来する複数の仮設階段１を連続して設置しても、複数の仮設階段１にわたる踏み板２のピッチが変わらない。
【００２７】
また、距離Ｂは距離Ｃより小さい、つまり、最上段の踏み板２の方が最下段の踏み板２よりも階段支持材９の端部近くに設けられている。
これにより、階段支持材９に対して複数の踏み板２は全体的に上寄りに配置されることとなり、設置した仮設階段１上端から少し離れた位置に上階の足場がある場合でも、上寄りに配置された最上段の踏み板２を足場にすることで、上階へ乗り移りやすくなる。
さらに、上寄りに設けられた最上段の踏み板２は、階段支持材９上端のつかみ金具５を締結するボルト６と階段支持材９の長手方向でオーバラップしている。
【００２８】
詳しくは、階段支持材９の両端を上下方向に垂直に揃えて複数の仮設階段１を積み重ねようとした時に、ひとつの仮設階段１における最上段の踏み板２の階段支持材９上端寄りの端部が、側面視において１段下の他の仮設階段１における階段支持材９上端のつかみ金具５の階段支持材９上端寄りのボルト６と重なるような位置に、最上段の踏み板２が配置されている。
しかし、このボルト６のボルト頭６ａは、全体が階段支持材９の凹溝８に陥没しているため、前述の踏み板２の端部とボルト６とが当接しない。
【００２９】
したがって、複数の仮設階段１を階段支持材９の両端を上下方向に垂直に揃えて積み重ねることができる。さらに、つかみ金具５のボルト６が凹溝８に完全に埋没し、階段支持材９の中央壁３から踏み板２側へ突出しているものがないため、踏み板２の大きさや形状の制限はない。
また、踏み板２の階段支持材９に対向する外側面には突条１３が設けられており、複数の仮設階段１を積み重ねた時に、ひとつの仮設階段１における踏み板２と他の仮設階段１における階段支持材９とは間隙ｄだけ離れている。
【００３０】
したがって、踏み板２の長手方向の寸法は左右の階段支持材９間の距離よりも小さく、踏み板２と階段支持材９とが互いに当接することはないため、仮設階段１を積み重ねる際の抵抗がなく、仮設階段１を互いに嵌め込みやすくなる。
図１１に示すように、仮設階段１のつかみ金具５を横架材Ｗに係止させる際には、ロック部材５ｂをフック部材５ａの基部側へ引き上げてからフック部材５ａを横架材Ｗに引っ掛け、その後ロック部材５ｂを通常の位置に戻すこととなる。したがって、つかみ金具５の横架材Ｗに対する係止状態がロックされ、仮設階段１が横架材Ｗから容易に外れることはない。
【００３１】
図２に示すように、階段支持材９上下端部の一方の角を側面視で削っており、積み重ねた複数の仮設階段１のうち最上段の仮設階段１を持ち上げる際、階段支持材９端部のうちいずれから持ち上げたとしても、階段支持材９の角がつかえることはない。
なお、本発明は、前述した実施形態に限定されるものではない。仮設階段１等の各構成又は全体の構造、形状、寸法などは、本発明の趣旨に沿って適宜変更することができる。
踏み板２の板材１０、端部材１１及び階段支持材９は、押し出し成形でなく、板金、鋳造等によって形成されていてもよく、ステンレス、グラスファイバー、スチール又はＦＲＰ製であってもよい。
【００３２】
つかみ金具５は、階段支持材９の上端側にのみ取り付けられていてもよい。
つかみ金具５のロック部材５ｂは、バネ等の付勢手段によって、フック部材５ａの開口部分を閉じる方向へ付勢されていてもよい。
階段支持材９の凹溝８は、長手方向一端部のつかみ金具５の周辺にのみ形成されていてもよい。
突条１３は、ボルト孔１４の上下それぞれに２つ以上設けられていてもよく、各突条１３が端部材１１の長手方向に沿わず、略ハ字状など斜めに取り付けられていてもよい。
【符号の説明】
【００３３】
１    仮設階段
２    踏み板
９    階段支持材
１０  板材
１１  端部材
１２  ボルト
１３  突条
１４  ボルト孔
１５  端部材の対面部
１６  端部材のフランジ
１７  長尺突起
ｄ    間隙
【図１】
2010189994.tif 000003
【図２】
2010189994.tif 000004
【図３】
2010189994.tif 000005
【図４】
2010189994.tif 000006
【図５】
2010189994.tif 000007
【図６】
2010189994.tif 000008
【図７】
2010189994.tif 000009
【図８】
2010189994.tif 000010
【図９】
2010189994.tif 000011
【図１０】
2010189994.tif 000012
【図１１】
2010189994.tif 000013